(57)【要約】【課題】上枠に受けた雨が窓前面を伝わって流れないようにした窓において、窓枠の接続強度向上、排水装置構成のための加工容易化、部品点数削減及び施工の簡易化を図る。【解決手段】ａ）窓枠の上枠の上面壁に、受けた雨水を集合させる凹溝を設け、ｂ）縦枠には外面に突出する複数の嵌合突縁を備えた一枚の平板状の側壁を有するものを用い、その側壁の上端部を上枠上面壁よりも若干上方に突出させ、ｃ）上枠と下枠の長手方向端部を縦枠の上下端部の対向面に当接して縦枠の側壁の外側から貫通されるビスを上、下枠に設けてあるビスホールにねじ込んで窓枠を形成し、ｄ）縦枠の側壁の外面にその縦枠とほぼ等しい長さを有する縦枠カバーをその縦枠カバーに形成してある被嵌合突縁を側壁の嵌合突縁に嵌合して固定して、縦枠の側壁と縦枠カバーとの間に排水通路を形成し、ｅ）縦枠の側壁の上端部に凹溝を前記排水通路に連通させる導水孔を設けた。【選択図】      図３
2006144281.tif 000002
【特許請求の範囲】
【請求項１】
窓枠の上枠には、その上面壁に受けた雨水を集合させる凹溝をその上面壁に設け、前記窓枠の縦枠には一枚の平板状の側壁を有するものを用いるとともに前記側壁の上端部を前記上面壁よりも若干上方に突出させ、前記窓枠の上枠の長手方向端部と下枠の長手方向端部を前記縦枠の上下端部の対向面に当接して前記縦枠の側壁の外側から貫通されるビスを前記上、下枠に設けてあるビスホールにねじ込んで前記窓枠を形成し、前記縦枠の側壁の外面にその縦枠とほぼ等しい長さを有する縦枠カバーを固定して前記縦枠の側壁と前記縦枠カバーとの間に排水通路を形成し、前記縦枠の側壁の上端部に前記凹溝を前記排水通路に連通させる導水孔を設けたことを特徴とする窓。
【請求項２】
縦枠カバーは、その内面に形成してある複数の被嵌合突縁を窓枠の縦枠の側壁の外面に形成してある複数の嵌合突縁に嵌合して固定されることを特徴とする請求項１に記載の窓。
【請求項３】
排水通路の上端部を遮蔽し、縦枠の側壁の上端面及び縦枠カバーの上端面を被覆する縦枠カバーキャップを装着するとともに、前記排水通路の下端部を遮蔽し、前記縦枠の側壁の下端面及び前記縦枠カバーの下端面を被覆するキャップを装着し、窓枠の下枠の屋内側部分に上方に窪む凹部を形成するとともに、縦枠の側壁の下端部に排水通路を前記凹部に連通させる水抜き孔を設けたことを特徴とする請求項１又は２に記載の窓。
【請求項４】
縦枠の側壁に建物外壁の端部と対面する目地材当接部を設け、縦枠カバーでその目地材当接部よりも屋外側に存する前記側壁を覆うことを特徴とする請求項１，２又は３に記載の窓。
【発明の詳細な説明】
【技術分野】
【０００１】
本発明は、窓枠の上枠に受けた雨水が窓の前面に沿って流れないようにした窓に関する。
【背景技術】
【０００２】
窓枠の上枠に受けた雨水が窓の前面に沿って流れると、ガラス障子に汚れが付きやすいので、雨水が窓の前面に沿って流れないようにした窓は、特許文献１に開示されている。    
【特許文献１】特許第３０１５３１７号特許掲載公報
【発明の開示】
【発明が解決しようとする課題】
【０００３】
特許文献１に開示された窓は、いずれも中空部を有する上枠、下枠及び縦枠を周知の接続技術により矩形に接続された窓枠を用いるものである。すなわち、上、下枠の長手方向両端部を縦枠の中空部を形成する縦壁のうち、内側の縦壁の上下端部の対向面に当接し、その縦枠の外側の縦壁の屋外側から縦枠に貫通するビスを上、下枠に形成してあるビスホールにねじ込んで接続するものである。そして、雨水排水装置は、上枠の上面壁に上枠に受ける雨水を集合する凹溝を形成するとともに、縦枠の前記中空部を排水通路として用い、縦枠の内側の縦壁の上端部に切欠を設け、前記凹溝からその切欠を経て雨水を排水通路に導入するように構成したものである。
【０００４】
従って、第一に、中空部を形成する内側の縦壁に切欠を形成するので、加工の際に縦枠の向きを確認する必要があり、また、加工作業が容易でない。第二に、ビスは縦枠の中空部を貫通して上、下枠のビスホールにねじ込まれるため、接続に手間が掛かり、かつ、接続強度に問題なしとしない。第三に、ビス頭が屋外側に露見されるため外観体裁上の問題があることから、先行技術においては、縦枠の上下端部にその端面と排水通路の上下端面を被覆・遮蔽するコーナーブロックを装着し、そのコーナーブロックの外側から前記ビスを貫通してねじ込むとともに、そのコーナーブロックの外側にさらにビス頭隠蔽用のコーナーカバーを装着している。
従って、従来は、窓枠の接続強度、排水装置構成のための加工性、部品点数及び施工手間に問題があった。
【０００５】
こうして、本発明が解決しようとする課題は、上記問題を解消すること、すなわち、上枠に受けた雨水を窓前面に沿って流れないようにした窓において、窓枠の接続強度の向上、排水装置構成のための加工の容易化、部品点数の削減及び施工の簡易化を図ることができる窓を提供することにある。
【課題を解決するための手段】
【０００６】
上記課題を解決するため、本発明は、ａ）窓枠の上枠には上面壁に受けた雨水を集合させる凹溝をその上面壁に設け、ｂ）縦枠には一枚の平板状の側壁を有するものを用いるとともに、前記側壁の上端部を前記上面壁よりも若干上方に突出させ、ｃ）前記窓枠の上枠の長手方向端部と下枠の長手方向端部を前記縦枠の上下端部の対向面に当接して，前記縦枠の側壁の外側から貫通されるビスを前記上、下枠に設けてあるビスホールにねじ込んで前記窓枠を形成し、ｄ）前記縦枠の側壁の外面にその縦枠とほぼ等しい長さを有する縦枠カバーを固定して、前記縦枠の側壁と前記縦枠カバーとの間に排水通路を形成し、ｅ）前記縦枠の側壁の上端部に前記凹溝を前記排水通路に連通させる導水孔を設けたことを特徴としている（請求項１）。
上記の構成により、上枠の上面に受けた雨は凹溝に集合し、凹溝の端部から導水孔を経て排水通路に導入され、排水通路内を流下し、その下端部から排水される。従って、雨が窓の前面に沿って流れることが防止され、上枠及び縦枠の外面に雨水による汚れの付着が防止される。
【０００７】
縦枠カバーは、その内面に形成してある複数の被嵌合突縁を窓枠の縦枠の側壁の外面に形成してある複数の嵌合突縁に嵌合して固定されていることが望ましい（請求項２）。
このような縦枠カバーの装着構造を用いる場合は、縦枠カバーを縦枠の側壁に向けて押圧するだけで簡単に装着できる。そして、窓枠の上、下枠と縦枠とを接続するビスの頭が縦枠カバーで隠蔽され、外部に露見されない。
【０００８】
上記の窓には、排水通路の上端部を遮蔽し、縦枠の側壁の上端面及び縦枠カバーの上端面を被覆するキャップを装着するとともに、前記排水通路の下端部を遮蔽し、前記縦枠の側壁の下端面及び前記縦枠カバーの下端面を被覆するキャップを装着し、窓枠の下枠の屋内側部分に上方に窪む凹部を形成するとともに、縦枠の側壁の下端部に排水通路を前記凹部に連通させる水抜き孔を設けることが望ましい（請求項３）。
上記構成により、上枠の上面に受けた雨は凹溝に集合し、凹溝の端部から導水孔を経て排水通路に導入され、排水通路内を流下して下部のキャップに受け止められ、水抜き孔から下枠の凹部に向けて排水される。水抜き孔は窓の屋外側へ露見されない。
【０００９】
縦枠の側壁に建物外壁の端部と対面する目地材当接部を設け、縦枠カバーでその目地材当接部よりも屋外側に存する前記側壁を覆うことが望ましい（請求項４）。
このような目地材当接部を設けた場合は、縦枠カバー取付時に位置決めを容易かつ正確に行うことができる。また、窓枠取付後に、目地材当接部と外壁見切りとの間に目地材又は見切り縁を容易確実に装着することができる。従って、雨水浸入を確実に防止することができる。
【発明の効果】
【００１０】
請求項１の発明によれば、第一に、縦枠の一枚の平板状の側壁の外側からビスを貫通し、直接に上、下枠のビスホールにねじ込んで接続するので、中空部を有する縦枠を用いる場合よりも大きな接続強度が得られる。第二に、ビス頭は縦枠カバーにより隠蔽されるので、窓の外観体裁が向上し、かつ、防犯性が確保される。第三に、縦枠が一枚の平板状の側壁を有するものであるから、上枠の凹溝を排水通路に連通させる導水孔を縦枠の側壁の上端部に形成する加工を容易に行うことができる。
【００１１】
請求項２の発明によれば、縦枠は中空部を有する縦枠と同様の簡素な外観を備えることができ、縦枠カバーの縦枠に対する装着が容易にできる。また、縦枠カバーの装着自体で外観が向上されるため、他の部材が不要であり、コストアップを招かない。
【００１２】
請求項３の発明によれば、排水通路に導入されて下端部まで流下した雨は、下部のキャップに受け止められ、水抜き孔から下枠の凹部に向けて排水され、その水抜き孔は窓の屋外側へ露見されないため、窓の下部が排水により汚れることがあっても目立つことが防止される。
【００１３】
請求項４の発明によれば、縦枠はその側壁に建物外壁の端部と対面する目地材当接部を有し、縦枠カバーでその目地材当接部よりも屋外側に存する前記側壁を覆うので、縦枠カバー取付時に位置決めを容易にするとともに、外壁施工時に目地材当接部と外壁端部との間に目地材又は見切り縁を容易確実に装着することができ、かつ、雨水浸入を確実に防止することができる。
【発明を実施するための最良の形態】
【００１４】
次に、本発明を出窓に適用した場合の実施の形態について図面を用いて説明する。
図１は出窓を屋外側からみた斜視図、図２は同出窓の中間省略縦断面図、図３は同出窓の右側部分の横断面図、図４は図３の縦枠及び縦枠カバーを分解して示す平面図、図５は上部キャップの展開図であり、（ａ）は平面図、（ｂ）は底面図、（ｃ）は側面図、（ｄ）は縦枠に対する装着位置関係を示す説明図である。図６は結露水排出経路を示す要部の縦断面図である。
【００１５】
図１の出窓ＰＷは、窓枠Ｆにガラス障子Ｄを取り付けてなっている。窓枠Ｆは、上枠１と下枠２と縦枠３を矩形に接続して構成されている。なお、図１は窓中央の屋外側に方立を備え、その両側にガラス障子としての縦辷り出し障子が設けられている場合の外観を示す。
【００１６】
上枠１には、上面壁１１に受けた雨を集合させる凹溝１２がその上面壁に形成されている。この凹溝１２は、上面壁１１で受けた雨を集合して上枠１の長手方向端部に誘導するためのものであり、断面形状はレ字形、Ｌ字形又はＵ字形のいずれでもよい。図示の例では、上面壁１１を屋外側端部まで下り勾配とし、その屋外側端部に突縁１３を起立させて、レ字形の凹溝を形成してある。
【００１７】
下枠２には、好ましい例として、屋内側半分の底面を屋外側半分の底面よりも高くして、上方に窪んだ凹部２１を形成してある。
【００１８】
縦枠３には、従来の中空部を有する縦枠と異なり、一枚の平板状の側壁３１を有するものが使用されている。
【００１９】
上記上枠１、下枠２及び左右の縦枠３は、次のようにして矩形に接続されている。すなわち、上、下枠の長手方向両端部を左右の縦枠３の側壁３１の上下端部における対向面に当接し、その側壁の外側からビスｂ１を側壁３１に貫通し、かつ、上、下枠に形成してあるビスホールｈ１，ｈ２にねじ込んで接続してある。
【００２０】
縦枠３の一枚の平板状の側壁３１に上下枠１，２の端部を突き当て、その側壁に貫通したビスｂ１を直接に上、下枠にねじ込んでいるから、中空部を有する縦枠の場合と異なって、ビスのねじ込み作業が安定して確実にできるとともに、上下枠と縦枠との接続強度を大きくすることができ、堅牢な窓枠を構成することができる。
【００２１】
縦枠３は、窓枠の完成状態において、側壁３１の上端部が上枠１の上面壁１１よりも若干上方に突出されており、これにより、上枠の凹溝１２の長手方向両端部が堰き止められているとともに、その上端部の凹溝の底部に対応する位置に切欠又は孔を形成して、凹溝１２に集合する雨を凹溝１２の外に排出する導水孔３２が構成されている。
【００２２】
縦枠３の側壁３１の外面には、屋内外方向に隔てた複数の位置に嵌合突縁３３が形成されている。そして、その嵌合突縁３３を利用して、縦枠３とほぼ等しい長さを有する縦枠カバー４が装着されている。縦枠カバー４は、概ね縦枠３の側壁３１と平行な平板状に形成され、屋外側端部にほぼ直角な屈曲縁４１が形成され、中間部には、屈曲縁と同じ側に縦枠の側壁の嵌合突縁３３とほぼ等間隔をおいて突出する被嵌合突縁４２が形成されている。好ましい実施の形態においては、縦枠カバー４の任意の位置に被嵌合突縁４２と同じ方向に突出する一対のねじ受け突縁４３が形成されている。また、縦枠カバー４には、その屋内側端部付近に被嵌合突縁と同一側に張り出す突縁４４が形成されている。
【００２３】
こうして、縦枠カバー４は、窓枠組み立て後に、左右の縦枠３の側壁３１の嵌合突縁  ３３に縦枠カバーの被嵌合突縁４２を押し込み嵌合して固定されている。屈曲縁４１の先端は側壁３１の屋外側端部に密着している。ねじ受け突縁４３が設けられた場合は、側壁３１の内側（窓開口側）からビスｂ２をその側壁３１に貫通し、ねじ受け突縁４３の間にねじ込んで、より確実に接続される。
【００２４】
この場合、さらに好ましくは、縦枠３の側壁３１の屋内側端付近における外面にＬ字形又は矩形の目地材当接部３４が設けてあり、縦枠カバー４を縦枠３に装着する際に、その縦枠カバーの屋内側端部を目地材当接部３４に突き当てることにより、縦枠カバーの縦枠に対する位置決めを容易正確に行うことができるようにしてある。すなわち、縦枠カバーの屋内側端部を目地材当接部に突き当てた状態で縦枠カバー４を縦枠の側壁３１に向けて強く押圧することで、簡単かつ確実に嵌合突縁３３と被嵌合突縁４２の嵌合固定ができる利点がある。
【００２５】
上記のようにして縦枠カバー４を側壁３１に取り付けると、側壁３１と縦枠カバー４の間には、上下方向に貫通する空隙５が形成される。そして、その空隙の内、前記側壁の上端部に形成された導水孔３２に望む空隙（図示の例では５ａ）は排水通路としての役目を果たすこととなる。すなわち、上枠の凹溝１２に集合した雨は、導水孔３２から排水通路（５ａ）に流入し、その排水通路に沿って流下する。
【００２６】
好ましい実施の形態においては、排水通路の上端部と下端部に、窓枠の外観体裁の向上と小口露出による怪我の防止のために、キャップ６が装着されている。上下のキャップは、対称形に形成されているので、図５に示す上部のキャップ６について説明する。
キャップ６は、側壁３１と縦枠カバー４の間に形成された空隙５の上端部を遮蔽し、かつ、側壁３１の上端面及び縦枠カバー４の上端面を被覆するほぼ短冊状の平板６１を有し、その平板の下面に前記空隙に緊密に嵌合される複数個のＬ字形又はＴ字形の突縁６２と、突縁６２を縦枠カバー４の内側面に嵌合して密着したときに縦枠カバー４の被嵌合突縁４２に係合してキャップ６を固定する複数個の係合部６３と、キャップ６を縦枠カバー４にねじ止めするためのねじ受け部６４とを有する。
そして、図５（ｄ）に示すように、キャップ６は、これを縦枠カバー４の上端部に装着し、突縁６２を縦枠カバー４の内側面に密着するとともに、係合部６３を縦枠カバー４の被嵌合突縁４２に係合して固定される。続いて、縦枠カバー４の屋内側端部の突縁４４にその屋内側からねじｂ３を貫通し、さらにねじ受け部６４にねじ込んでキャップ６をしっかりと縦枠カバー４に接続している。
【００２７】
縦枠カバー４の下端部にも、もう一つのキャップが同様にして取り付けられており、これら上下のキャップにより排水通路５ａを含む空隙５の上下端部が遮蔽され、また、縦枠３及び縦枠カバー４の長手方向両端面が被覆されている。
【００２８】
上記上枠１の上面壁１１の凹溝１２、縦枠３の側壁３１の上端部に形成された導水孔３２、側壁と縦枠カバーの間に形成された排水通路５ａが本発明に係る窓の排水装置の最小限の構成要素である。この場合は、雨は排水通路５ａの下端部から下方に排出される。しかし、上記のように上下のキャップ６が付加された場合は、縦枠カバー３の側壁３１の下端部に切欠を形成して排水通路５の下端部に流下した雨を下枠２の凹部２１に向けて排出する水抜き孔３６が構成要素の一部として付加される。
【００２９】
本発明は、出窓の建物躯体Ｗに対する固定構造は任意であるが、図示された例の固定構造について説明すると、上枠１には、屋内側端部に角筒状の取付部１４が設けられ、建物躯体のチャンネル材Ｃ１に固定した固定金具７１に貫通したねじｎ１を前記取付部１４にねじ込んでいる。また、下枠２の屋内側部分に角筒状の取付部２２が設けられ、固定金具７２をその取付部２２とチャンネルＣ２に固着された固定部材７３との間に掛け渡し、ねじｎ２，ｎ３で固着している。さらに、縦枠３の側壁３１の屋内側端部にＬ字形の取付部３５を設け、その取付部３５をチャンネル材Ｃ３に当接し、挟持部材７５をねじｎ４によりチャンネル材Ｃ３に緊締して、その挟持部材７５により縦枠３を固定している。
【００３０】
また、本発明は、上記窓枠Ｆに対する障子Ｄの取付構造も任意である。障子の取付構造は、一般的に障子の開閉形態により異なる形状を有している。図示された例は、窓枠Ｆを障子の開閉形態の如何に関わらず共通に用いられる外側枠体と、障子の開閉形態の違いに応じて当該開閉形態に適合する形状を有する内側枠体とに分割して形成し、前者に後者を結合することより一つの窓枠が完成するように構成されている。以下、これについて詳細に説明する。
【００３１】
外側枠体は、上枠１Ａと、下枠２Ａと、左右の縦枠３Ａとからなっている。図２、図３及び図４に示すように、上枠１Ａは、上述された上面壁１１の屋内側端部に角筒状の取付部１４を有するとともに、上面壁の中間位置から垂下する中間連結壁１５と上面壁の屋外側端部から垂下する外面壁１６とを有する。また、下枠２Ａは、ほぼ屋内側半分を占めるように形成された角筒状の取付部２２と、その取付部の上面の中間位置から起立する中間連結壁２３と、取付部２２の下方に凹部２１が形成されるように取付部２２の屋外側面から垂下する垂下壁２４と、その垂下壁の下端部から屋外方向に張り出す底壁２５と、その底壁の屋外側端部から起立する外面壁２６とを有する。そして、縦枠３Ａは、上述された側壁３１と、目地材当接部３４と、取付部３５とを有するほか、側壁３１の中間位置から窓枠内方に延出する中間連結壁３７と、側壁の屋外側端部から中間連結壁と平行に同じ方向に延出する外面壁３８とを有する。
【００３２】
図示された内側枠体は、縦滑り出し障子保持用の形状を有する上枠１Ｂ、下枠２Ｂ及び縦枠３Ｂを有する。各枠１Ｂ，２Ｂ，３Ｂはそれぞれ屋内側に配置されるアルミニウム製枠材１ｍ，２ｍ，３ｍと、断熱性を高めるためにアルミニウム製枠材の屋内側面を被覆するように結合されたプラスチック製枠材１ｐ，２ｐ，３ｐとからなっている。そして、上、下枠１Ｂ，２Ｂの長手方向両端部を縦枠３Ｂの上下端部の対向面に突き当て、縦枠３Ｂの外側から上、下枠１Ｂ，２Ｂに設けてあるビスホールｈ３，ｈ４にビス（図示せず）をねじ込んで矩形の内側枠体が構成されている。
【００３３】
矩形に枠組みされた内側枠体は、屋内側から外側枠体の中に嵌合され、上枠１Ｂ、下枠２Ｂ及び縦枠３Ｂを、それぞれビスｂ６，ｂ７，ｂ８により外側枠体の上枠１Ａ、下枠２Ａ及び縦枠３Ａに接続されている。
【００３４】
さらに詳説すると、内側枠体の上枠１Ｂのアルミニウム製上枠材１ｍは、外側枠体の上枠１Ａの中間連結壁１５に屋内方向からねじ込むビスｂ６で接続され、その接続の際に上枠１Ａの外面壁１６の下端部に設けてある気密材ｓ１に押圧密着されるようになっている。
内側枠体の下枠２Ｂのアルミニウム製下枠材２ｍは、外側枠体の下枠２Ａの中間連結壁２３に屋内方向からねじ込むビスｂ７で接続され、その接続の際に下枠２の外面壁２６の上端部に設けてある気密材ｓ２に押圧密着されるようになっている。
そして、内側枠体の縦枠３Ｂのアルミニウム製縦枠材３ｍは、外側枠体の縦枠３Ａの中間連結壁３７に屋内方向からねじ込むビスｂ８で接続され、その接続の際に縦枠３の外面壁３８の先端部に設けてある気密材ｓ３に押圧密着されるようになっている。
【００３５】
外側枠体に結合された内側枠体のプラスチック製上枠材１ｐは、その屋内側端部を木ねじＮ１により出窓の上額縁８Ｕに固着され、内側枠体のプラスチック製縦枠材３ｐは木ねじＮ２により縦額縁８Ｓに固着されている。内側枠体のプラスチック製下枠材２ｐはその屋外側端部をアルミニウム製下枠材２ｍの屋内側端部に係合した状態で木ねじＮ３により出窓の下額縁８Ｌに固着されている。窓枠Ｆはこのようにして建物駆体に取付けられている。
【００３６】
上記のように、いずれの障子の開閉形態にも共通な外側枠体に、特定の開閉形態に対応する内側枠体を外側枠体の屋内側から嵌合して接続する構造を採用する場合は、内側枠体の取付が容易・安全であり、窓枠の製造コストの低減が可能であり、障子の開閉形態に応じて内側枠体を選択して組み込めば良いので、窓の施工が容易になり、施工コスト削減を図ることが可能である。
【００３７】
上記窓枠Ｆを建物駆体に取り付けた後、縦枠３と外壁Ｗの端部との間には目地材又は見切り縁９が装着されるが、本発明においては、縦枠の側壁３１に目地材当接部３４が設けてあるので、その目地材当接部３４と外壁端部との間に単に見切り縁９を押し込むだけで簡単・迅速かつ確実に水密化の施工ができる。
【００３８】
図６は、窓枠を上記のように外側枠体と内側枠体とで構成した場合に、内側枠体の下枠２Ｂの上面に流下又は付着した結露水を、前記外側枠体の下枠２Ａの凹部２１を利用して、窓枠に汚れが付かないように排水するように、結露水排出経路を設けた好ましい実施の形態を示す。すなわち、下枠２Ａの上面に形成した孔に既知の排水弁１０１を取り付けるとともに、その下枠の下部底壁の下枠２の取付部２２と底壁２５と外面壁２６との間に形成されている凹溝２７に面する位置において水抜き孔１０２を形成し、さらに、外側枠体の下枠２Ａの垂下壁２４に形成した孔にもう一つの既知の排水弁１０３を取り付けて構成されている。
【００３９】
上記の構成により、障子Ｄから下枠２Ｂの屋内側上面に流下する結露水は、図６に鎖線で示す経路に沿って、すなわち、上部排水弁１０１から下枠２内を流れ、水抜き孔１０２から下枠２の凹溝２７に流下し、下部排水弁１０３から下枠の凹部２１に向けて排出される。従って、排出される結露水に基づいて窓枠の外面に汚れが目立つことが防止される。
【図面の簡単な説明】
【００４０】
【図１】出窓を屋外側からみた斜視図。
【図２】同出窓の中間省略縦断面図。
【図３】同出窓の右側部分の横断面図。
【図４】図３の縦枠及び縦枠カバーを分解して示す平面図。
【図５】縦枠上部カバーの展開図であり、（ａ）は平面図、（ｂ）は底面図、（ｃ）は側面図、（ｄ）は縦枠に対する装着位置関係を示す説明図。
【図６】結露水排出経路を示す要部の縦断面図。
【符号の説明】
【００４１】
ＰＷ      出窓
Ｗ        外壁
Ｆ        窓枠
１        上枠
１１      上面壁
１２      凹溝
２        下枠
２１      凹部
３        縦枠
３１      側壁
３２      導水孔（切欠又は孔）
３３      嵌合突縁
３４      目地材当接部
３５      取付部
３６      水抜き孔
４        縦枠カバー
４２      被嵌合突縁
５        空隙
５ａ      排水通路
６        キャップ
【図１】
2006144281.tif 000003
【図２】
2006144281.tif 000004
【図３】
2006144281.tif 000005
【図４】
2006144281.tif 000006
【図５】
2006144281.tif 000007
【図６】
2006144281.tif 000008